(57)【特許請求の範囲】
【請求項１】
境界に沿って埋設されるとともに境界に沿う長手方向に長溝が形成された側溝ブロック本体の上に、境界ブロックが境界に沿って取付けられる側溝ブロックであって、
側溝ブロック本体はその上面における長溝の片方側が境界ブロック取付面となっていて、該境界ブロック取付面には、取付面の幅方向に長い平面視長方形状で、その長さが取付面の幅方向長さよりも短い凹状または凸状をした位置決め部が前記長手方向に離隔して２以上設けられ、
境界ブロックはその下面に前記位置決め部に係合する凸状または凹状をした被位置決め部が該位置決め部に対応する位置に対応する形状および大きさで設けられており、
前記位置決め部における長溝側の端面と前記被位置決め部における長溝側の端面とが共に、側溝ブロック本体上に境界ブロックを取付けた状態で外部に露出するように構成されていることを特徴とする側溝ブロック。
【発明の詳細な説明】
【０００１】
【発明の属する技術分野】
本発明は、例えば車道と歩道との境界に沿って配置される側溝ブロックに関する。
【０００２】
【従来の技術】
上述した側溝ブロックとしては、境界に沿って埋設されるとともに境界に沿う長手方向に長溝が形成された側溝ブロック本体の上に、境界ブロックが境界に沿って取付けられる構成のものが知られている（例えば、非特許文献１、特許文献１等を参照）。
【０００３】
図３は非特許文献１に係る側溝ブロックを示す分解斜視図であり、図４は図３の側溝ブロックの組立て状態を示す正面図である。
【０００４】
この側溝ブロックは、側溝ブロック本体１００の上面に平坦な境界ブロック取付面１０１が形成され、その境界ブロック取付面１０１の上に、下面が平面な境界ブロック１０２を載せ、境界ブロック取付面１０１に埋設した埋め込みナット１０３に、境界ブロック１０２の上方から下側へ貫通するように設けた貫通孔１０４を介して図示しないボルトの先端部を螺入することで側溝ブロック本体１００に境界ブロック１０２が取付けられている。なお、図４中のＡは車道と歩道との境界であり、Ａの左側が車道、Ａの右側が歩道である。
【０００５】
図５は特許文献１に係る側溝ブロックを示す分解斜視図であり、図６は図５の側溝ブロックの組立て状態を示す正面図である。
【０００６】
この側溝ブロックは、側溝ブロック本体１１０の上面に凸条１１１ａを有する境界ブロック取付面１１１が形成され、その境界ブロック取付面１１１の上に、下面に凹溝１１２ａを有する境界ブロック１１２を、凸条１１１ａが凹溝１１２ａに入りかつ接触するように載せ、境界ブロック取付面１１１に埋設した埋め込みナット１１３に、境界ブロック１１２の上方から下側へ貫通するように設けた貫通孔１１４を介して図示しないボルトの先端部を螺入することで側溝ブロック本体１１０に境界ブロック１１２が取付けられている。なお、図６中のＢは車道と歩道との境界であり、Ｂの左側が車道、Ｂの右側が歩道である。
【０００７】
【非特許文献１】
ソイル工業株式会社  「特殊円型水路」  ＣＡＮｏ．１３０７１０Ｃ  ｐ．２
【特許文献１】
特開２００３―２７５７７号公報
【０００８】
【発明が解決しようとする課題】
ところで、上述した境界ブロックの製造は、その製造に用いる枠に、境界ブロック下面（側溝ブロック本体の境界ブロック取付面の上に載置される面）から素材としてのコンクリートを投入し、そのコンクリート投入面をコテにより平坦に仕上げることで行われる。
【０００９】
このようにして製造される境界ブロックに関しては、非特許文献１の場合、境界ブロック１０２の下面（ハッチング部分）が平坦であるので、枠の境界ブロック１０２下面に相当する部分、つまり枠のコンクリート投入面に、コンクリート投入に際して邪魔になる部材が無いため製造し易い反面、コンクリート投入面が広いためにコテ仕上げに伴う凹凸により、境界ブロック取付面１０１との間での接合精度に悪影響を受けるので、コンクリート投入面（境界ブロック１０２下面）と境界ブロック取付面１０１との間に敷きモルタル１０５が必要になるという課題がある。また、コンクリート投入面（境界ブロック１０２下面）と境界ブロック取付面１０１とが平坦に形成されているので、両者の位置合わせが難しいという難点もある。
【００１０】
一方、特許文献１の場合には、枠の製造誤差を考慮して、境界ブロック取付面１１１に設ける凸条１１１ａに対し、境界ブロック１１２に設ける凹溝１１２ａを、例えば１〜２ｍｍ程度大きく設計するため、凸条１１１ａの高さ寸法が凹溝１１２ａの深さ寸法よりも大きくなる。これにより境界ブロック取付面１１１の上に、凸条１１１ａが凹溝１１２ａに入りかつ接触するように境界ブロック１１２を載せると、コテ仕上げされたコンクリート投入面（境界ブロック１１２下面）と境界ブロック取付面１１１との間に隙間Ｓが発生するので、コンクリート投入面（境界ブロック１１２下面）と境界ブロック取付面１１１との間での接合精度が向上して敷きモルタルを不要にできる。その反面、境界ブロック１１２を製造する際に、境界ブロック１１２下面に凹溝１１２ａを形成するための凹溝形成用型部材を型枠のコンクリート投入面に設ける必要があり、その凹溝形成用型部材により型枠のコンクリート投入面（ハッチング部分）が幅方向に二分されるようになるため、コンクリート投入が困難となり製造し難くなるという難点がある。
【００１１】
本発明は、このような従来技術の課題を解決するためになされたもので、位置合わせを簡単に行うことができ、しかも境界ブロックを容易に製造することができる側溝ブロックを提供することを目的とする。
【００１２】
【課題を解決するための手段】
本発明の側溝ブロックは、境界に沿って埋設されるとともに境界に沿う長手方向に長溝が形成された側溝ブロック本体の上に、境界ブロックが境界に沿って取付けられる側溝ブロックであって、側溝ブロック本体はその上面における長溝の片方側が境界ブロック取付面となっていて、該境界ブロック取付面には、取付面の幅方向に長い平面視長方形状で、その長さが取付面の幅方向長さよりも短い凹状または凸状をした位置決め部が前記長手方向に離隔して２以上設けられ、境界ブロックはその下面に前記位置決め部に係合する凸状または凹状をした被位置決め部が該位置決め部に対応する位置に対応する形状および大きさで設けられており、前記位置決め部における長溝側の端面と前記被位置決め部における長溝側の端面とが共に、側溝ブロック本体上に境界ブロックを取付けた状態で外部に露出するように構成されていることを特徴とする。
【００１３】
この側溝ブロックによる場合には、側溝ブロック本体に位置決め部が境界に沿う長手方向に離隔して２以上設けられ、境界ブロックの下面に被位置決め部が位置決め部との位置と形状および大きさとを対応させて設けられているので、位置決め部と被位置決め部とを合わせることで、側溝ブロック本体と境界ブロックとを、境界に沿った方向において容易に位置合わせすることが可能になる。加えて、位置決め部の端に被位置決め部の端を当てると、境界に沿った方向とはほぼ直交する方向において容易に位置合わせすることが可能になる。また、境界ブロック用の枠のコンクリート投入面には、被位置決め部を形成するための形成部材が設けられるが、その形成部材がコンクリート投入面の長手方向に離隔されて配設されるので、前記形成部材の隣り合うものどうしのうち、実質的にコンクリートを投入することに用いる箇所を適長離隔した位置関係に調整することで、特許文献１のように幅方向に分割されるよりもコンクリートを投入する面を広くすることができ、境界ブロックを容易に製造することができる。
【００１５】
さらに、側溝ブロック本体上に境界ブロックを取付けた状態で、位置決め部および被位置決め部の各長溝側の端面が外部に露出するので、両端面の境界に沿った方向とはほぼ直交する方向における相対的な位置関係が所定状態になっているか否かを、目視により確認することが可能になる。
【００１６】
【実施の形態】
以下、本発明の実施形態を具体的に説明する。
【００１７】
図１は本実施形態に係る側溝ブロックを示す分解斜視図であり、図２は側溝ブロックの組立て状態を示す正面図である。なお、図２中のＣは車道と歩道との境界であり、Ｃの左側が車道、Ｃの右側が歩道である。
【００１８】
この側溝ブロックは、境界Ｃに沿って埋設されるコンクリート製の側溝ブロック本体１と、側溝ブロック本体１の上に境界Ｃに沿って取付けられるコンクリート製の境界ブロック１０とを有する。
【００１９】
側溝ブロック本体１は、外形が概略四角柱状に形成されたもので、内部には境界Ｃに沿う長手方向に形成された長溝２を有する。この長溝２は、上面に開口３が形成されたものであり、開口３は車道に溜まった雨水等を長溝２に案内する。長溝２の長手方向両端にも開口４が設けられているが、側溝ブロック本体１を長手方向に連結することで両端の開口４は連通連結される。長溝２の断面形状は、本実施形態ではほぼ円形としているが、本発明はこれに限らず、矩形状、三角形状、或いは他の任意の形状としてもよい。
【００２０】
側溝ブロック本体１の上面には、開口３の右側に境界ブロック取付面５が設けられている。この境界ブロック取付面５には、凸状をした位置決め部６が長手方向に長さＬ１だけ離隔して２つ設けられている。各位置決め部６は、境界ブロック取付面５の幅方向長さＬ２よりも短い長さＬ３であって、幅Ｗ３がＬ３よりも短く、平面視で長方形状に形成されており、各位置決め部６の側面のうち、開口３側の側面（端面）６ａは、境界Ｃの目印となるもので、境界ブロック取付面５の左端と一致する状態で垂直に形成されている。側面（端面）６ａを除く他の側面６ｂは傾斜面となっている。また、各位置決め部６の２箇所には、ナット７がそれぞれ埋め込まれている。
【００２１】
かかる側溝ブロック本体１の製造は、上下を逆にした枠にコンクリートを投入することで行われる。換言すると、枠は、側溝ブロック本体１の下面に相当する部分がコンクリート投入面として用いられる。
【００２２】
境界ブロック１０は、上記境界ブロック取付面５の上に取付けられるもので、概略四角柱状に形成されていて、側溝ブロック本体１の長さと同じ長さとなっている。境界ブロック１０の下面１１には、前記位置決め部６に係合する凹状をした被位置決め部１２が、境界ブロック１０の長手方向に長さＬ１だけ離隔しかつ位置決め部６に対応する位置に２つ設けられている。ここで、対応する位置とは、側溝ブロック本体１の前面をＤ１、境界ブロック１０の前面をＤ２とし、かつ前面Ｄ１から前面Ｄ１に近い方の位置決め部６までの距離をＬ４としたとき、前面Ｄ２から前面Ｄ２に近い方の被位置決め部１２までの距離が同じＬ４となっている。
【００２３】
また、各被位置決め部１２は位置決め部６と同じ形状、つまり底面側から見て境界ブロック１０の長手方向に短い長方形状に形成されており、各被位置決め部１２の開口３側に配置される端面１２ａ側はその端面１２ａから壁が無い状態で上方に窪んでいて、端面１２ａを除く他の側面１２ｂは傾斜面（位置決め部６の側面と同じ角度）となっている。
【００２４】
更に、各被位置決め部１２は位置決め部６と同じ大きさになっている。具体的には、各被位置決め部１２の長さＬ５は位置決め部６の長さＬ３にほぼ等しく（但し、Ｌ５―Ｌ３＝１〜２ｍｍ）、各被位置決め部１２の幅Ｗ４は位置決め部６の幅Ｗ３にほぼ等しく（但し、Ｗ４―Ｗ３＝２〜４ｍｍ）、各被位置決め部１２の深さＨ４は位置決め部６の高さＨ３にほぼ等しく（但し、Ｈ３―Ｈ４＝１〜２ｍｍ）なっている。なお、上述した（  ）内の寸法差は、枠の製造誤差を考慮したものである。
【００２５】
また、境界ブロック１０には、前記ナット７に螺入するボルト（図示せず）を挿入するための貫通孔１３が設けられている。これら貫通孔１３は、ナット７に対応する位置に設けられており、上下方向に貫通している。
【００２６】
次に、側溝ブロック本体１および境界ブロック１０の取付け内容について説明する。
【００２７】
まず、道路と歩道との境界Ｃに沿って側溝ブロック本体１を埋設する。このとき、側溝ブロック本体１の側面（端面）６ａを境界Ｃと一致させるとともに、境界ブロック取付面５を歩道側とする。
【００２８】
次に、境界ブロック取付面５の上に境界ブロック１０を載せる。このとき、凹状の被位置決め部１２に凸状の位置決め部６が入るように係合させると、境界ブロック１０の側溝ブロック本体１に対する長手方向位置が自ずと位置決めされる。また、位置決め部６の開口３とは反対側の側面６ｂと、被位置決め部１２の端面１２ａとは反対側の側面１２ｂとが、当接するように境界ブロック１０をスライドさせると、境界ブロック１０の側溝ブロック本体１に対する幅方向位置が自ずと位置決めされる。この幅方向の位置決めは、境界ブロック取付面５の上に境界ブロック１０を載せた状態で、被位置決め部１２における壁が無い状態で上方に窪んでいる前面１２ａと、位置決め部６における境界Ｃの目印となる側面６ａとが外部に露出しており、かつ被位置決め部１２の長さＬ５が位置決め部６の長さＬ３にほぼ等しくなっているので、前面１２ａと側面６ａとが一致していることを目視により確認できる。更に、このようにして位置決めが行われると、貫通孔１３とナット７とが一致する。
【００２９】
次に、貫通孔１３に図示しないボルトを上から挿入し、ナット７に螺入することで、境界ブロック１０が側溝ブロック本体１の境界ブロック取付面５に取付けられる。
【００３０】
したがって、本実施形態の側溝ブロックによる場合には、側溝ブロック本体１に位置決め部６が境界Ｃに沿う長手方向に離隔して２つ設けられ、境界ブロック１０の下面に被位置決め部１２が位置決め部６との位置と形状および大きさとを対応させて設けられているので、位置決め部６と被位置決め部１２とを合わせることで、側溝ブロック本体１と境界ブロック１０とを、境界Ｃに沿った長手方向において容易に位置合わせすることが可能になる。加えて、位置決め部６の側面（端面）６ａと反対側の端面６ｂに、被位置決め部１２の端面１２ａと反対側の端面１２ｂを当てると、境界Ｃに沿った方向とはほぼ直交する幅方向において容易に位置合わせすることが可能になる。また、境界ブロック１０用の枠のコンクリート投入面には、被位置決め部を形成するための形成部材が設けられるが、その形成部材がコンクリート投入面（図１にハッチングで表す）の長手方向に離隔されて配設されるので、前記形成部材の隣り合うものどうしのうち、実質的にコンクリートを投入することに用いる箇所の距離Ｌ１を適長離隔した位置関係に調整することで、特許文献１のように幅方向に分割されるよりもコンクリートを投入する面を広くすることができ、境界ブロックを容易に製造することができる。
【００３１】
また、本実施形態においては、側溝ブロック本体１上に境界ブロック１０を取付けた状態で、位置決め部６および被位置決め部１２の各長溝３側の端面６ａと１２ａが外部に露出するので、両端面６ａ、１２ａの境界Ｃに沿った長手方向とはほぼ直交する幅方向における相対的な位置関係が一致した状態になっているか否かを、目視により確認することが可能になる。
【００３２】
なお、上述した実施形態においては位置決め部を側溝ブロック本体に２つ設けるとともに、被位置決め部を境界ブロックに２つ設ける構成としているが、本発明はこれに限らず、位置決め部を側溝ブロック本体に３以上設けるとともに、被位置決め部を境界ブロックに位置決め部と同数設ける構成としてもよい。
【００３３】
【発明の効果】
以上の説明から明らかなように、請求項１の発明によれば、側溝ブロック本体に位置決め部が境界に沿う長手方向に離隔して２以上設けられ、境界ブロックの下面に被位置決め部が位置決め部との位置と形状および大きさとを対応させて設けられているので、位置決め部と被位置決め部とを合わせることで、側溝ブロック本体と境界ブロックとを、境界に沿った方向において容易に位置合わせすることが可能になる。加えて、位置決め部の端に被位置決め部の端を当てると、境界に沿った方向とはほぼ直交する方向において容易に位置合わせすることが可能になる。また、境界ブロックを製造する際に、境界ブロック用の型枠のコンクリート投入面には、被位置決め部を形成するための型部材が設けられるが、その型部材がコンクリート投入面の長手方向に離隔されて配設されるので、前記型部材の隣り合うものどうしのうち、実質的にコンクリートを投入することに用いる箇所を適長離隔した位置関係に調整することで、特許文献１のように幅方向に分割されるよりもコンクリートを投入する面を広くすることができ、境界ブロックを容易に製造することができる。
【００３４】
さらに、側溝ブロック本体上に境界ブロックを取付けた状態で、位置決め部および被位置決め部の各長溝側の端面が外部に露出するので、両端面の境界に沿った方向とはほぼ直交する方向における相対的な位置関係が所定状態になっているか否かを、目視により確認することが可能になる。
【図面の簡単な説明】
【図１】本発明の一実施形態に係る側溝ブロックを示す分解斜視図である。
【図２】図１の側溝ブロックの組立て状態を示す正面図である。
【図３】非特許文献１に係る側溝ブロックを示す分解斜視図である。
【図４】図３の側溝ブロックの組立て状態を示す正面図である。
【図５】特許文献１に係る側溝ブロックを示す分解斜視図である。
【図６】図５の側溝ブロックの組立て状態を示す正面図である。
【符号の説明】
Ｃ  境界
１  側溝ブロック本体
２  長溝
５  境界ブロック取付面
６  位置決め部
６ａ  側面（端面）
１０  境界ブロック
１２  被位置決め部
１２ａ  端面
【要約】【課題】位置合わせを簡単に行うことができ、しかも境界ブロックを容易に製造することができるようにする。
【解決手段】境界Ｃに沿って埋設されるとともに境界Ｃに沿う長手方向に長溝２が形成された側溝ブロック本体１の上に、境界ブロック１０が境界Ｃに沿って取付けられる側溝ブロックである。側溝ブロック本体１はその上面における長溝２の片方側が境界ブロック取付面５となっていて、境界ブロック取付面５にはその取付面５の幅方向長さよりも短い長さの凸状をした位置決め部６が前記長手方向に離隔して２つ設けられ、境界ブロック１０はその下面に前記位置決め部６に係合する凹状をした被位置決め部１２が位置決め部６に対応する位置に対応する形状および大きさで設けられている。
【選択図】      図１【図１】
0003626750.tif 000002
【図２】
0003626750.tif 000003
【図３】
0003626750.tif 000004
【図４】
0003626750.tif 000005
【図５】
0003626750.tif 000006
【図６】
0003626750.tif 000007